(57)【要約】【課題】パッケージと中間保持部材との位置決め精度を向上させる固定構造を有したレンズブロック、及び画像読み取りユニット、並びに画像形成装置、中間保持部材を提供する。【解決手段】ベース部材３０の取付部４７と中間保持部材３３の第１の固定部３３１とが光硬化型の第１の接着剤６２で固定されている。また、パッケージ４１の取付部４８と中間保持部材３３の第２の固定部３３２とが光硬化型の第１の接着剤６２で固定されている。パッケージ４１のベース４３とウインド部材５０とが第２の接着剤６１で固定されている。第２の固定部３３２には凹部３３ａが設けられている。凹部３３ａは第２の固定部３３２の取付部４８との対向面３３２ａから凹に形成され、第２の接着剤６１の突起部分６１ａと中間保持部材３３の第２の固定部３３２と第１の接着剤６２との３点が接触しないように隙間Ｓが形成されている。【選択図】図４
2006135598.tif 000002
【特許請求の範囲】
【請求項１】
光電変換素子を収容するパッケージと、前記パッケージとベース部材との双方に第１の接着剤で固定された中間保持部材と、を備えた固定構造であって、
前記パッケージが、互いに第２の接着剤で接着固定された第１の部材と第２の部材とを備えた固定構造において、
前記第２の接着剤と前記中間保持部材とが接触することを規制するように、前記パッケージと前記中間保持部材とが、前記第１の接着剤で互いに接着固定されていることを特徴とする固定構造。
【請求項２】
前記中間保持部材の前記パッケージと相対する対向面に、前記第２の接着剤と相対する凹部が、設けられているとともに、前記第１の接着剤が、前記凹部内に隙間が生じるように、前記中間保持部材と前記パッケージとを接着していることを特徴とする請求項１に記載の固定構造。
【請求項３】
前記第２の接着剤の前記パッケージと相対する位置に、前記パッケージの前記中間保持部材と相対する外表面より凹の第２の凹部が、設けられているとともに、前記第１の接着剤が、前記第２の凹部内に隙間が生じるように、前記中間保持部材と前記パッケージとを接着していることを特徴とする請求項１に記載の固定構造。
【請求項４】
前記第1の部材が、光電変換素子を取り付けたベースであり、そして、前記第２の部材が、原稿からの反射像を透過することを許容しかつ外気が透過することを規制するウインド部材であることを特徴とする請求項１ないし請求項３のうちいずれか一項に記載の固定構造。
【請求項５】
前記第１の接着剤が、紫外線を照射されると硬化する光硬化型の接着剤で固定され、そして、前記中間保持部材が、紫外線を透過する材料で構成されていることを特徴とする請求項１ないし請求項４のうちいずれか一項に記載の固定構造。
【請求項６】
原稿からの反射像を光電変換素子によって読み取るレンズブロックにおいて、請求項１ないし請求項５のうちいずれか一項に記載の固定構造が備えられていることを特徴とするレンズブロック。
【請求項７】
原稿に光を照射して、該原稿からの反射像を光電変換素子で光電変換する画像読み取りユニットにおいて、請求項６に記載のレンズブロックが備えられていることを特徴とする画像読み取りユニット。
【請求項８】
請求項７に記載の画像読み取りユニットが備えられていることを特徴とする画像形成装置。
【請求項９】
レンズを保持するベース部材と光電変換素子を収容するパッケージとの双方に接着固定される中間保持部材において、前記パッケージを構成するベースとウインド部材とを互いに接着する第２の接着剤と接触しないように、前記第２の接着剤との対向面に、凹部が設けられていることを特徴とする中間保持部材。
【請求項１０】
紫外線を透過させる材料で構成されているとともに、前記ベース部材及び前記パッケージに、紫外線を照射すると硬化する光硬化型の接着剤で接着固定されることを特徴とする請求項９に記載の中間保持部材。
【発明の詳細な説明】
【技術分野】
【０００１】
本発明は、複写機、イメージスキャナ、ファクシミリ等のライン型光電変換素子を用いて光学像を読み取る画像形成装置における光電変換素子を収容するパッケージと中間保持部材との固定構造、及びそれを有するレンズブロック、並びに該レンズブロックを有する画像読み取りユニット、該画像読み取りユニットを有する画像形成装置、及び該固定構造に最適な中間保持部材に関する。
【背景技術】
【０００２】
従来から、複写機、ファクシミリ、スキャナ装置等に使用される画像読み取りユニット（例えば、特許文献１参照）は、ベース部材と、このベース部材に取り付けられる結像レンズ系と、ライン型光電変換素子及び該ライン型光電変換素子を収容するパッケージを有しかつベース部材に取り付けられるイメージセンサと、を備えている。画像読み取りユニットは、副走査方向に原稿の照明光源を移動させ、原稿からの反射光を二群以上のレンズからなる結像レンズ系に通してライン型光電変換素子に縮小結像させ、このライン型光電変換素子に結像された結像光束を光電変換して画像読み取り信号として出力するようになっている。
【０００３】
上述したライン型光電変換素子を収容するパッケージ（以下、単にパッケージと呼ぶ）は、通常以下の構造となっている。まず、種々の配線パターンが形成されたセラミック基板が複数枚積層されるとともに、焼結が繰り返されて所望の形状に形成されている。このパッケージ内にライン型光電変換素子が固定されており、パッケージの開口部が封止ガラスで覆われて、ライン型光電変換素子を密封している。また、パッケージに固定されたリードフレームとライン型光電変換素子とがワイヤボンディングによって電気的に接続されている。
【０００４】
ところが、上述した多層型のパッケージは、複数枚のセラミック基板を何度も焼結させて成形するため、工程に時間を費やしコスト高になってしまう。そこで、近年では製造コストが安いサーディップ型のパッケージ（例えば、特許文献２参照）が多く用いられるようになってきた。
【０００５】
サーディップ型のパッケージは、図６に示すように、ライン型光電変換素子１４２が固定されたセラミック製のベース１４３とウインドフレーム１４４との間がガラス系の接着剤１６１で封止されており、ウインドフレーム１４４の開口部が封止ガラス１４５によって覆われている。また、図示していないが、パッケージ１４１に固定されたリードフレームとライン型光電変換素子１４２とがワイヤボンディングによって電気的に接続されている。
【０００６】
このパッケージ１４１と中間保持部材１３３とが接着剤１６２によって接着され、さらにパッケージ１４１はこの中間保持部材１３３を介して図示しない画像読み取りユニットのベース部材に固定される。
【特許文献１】特開２００１−３１３７７９号公報
【特許文献２】特開２００３−３１７８３号公報
【発明の開示】
【発明が解決しようとする課題】
【０００７】
しかしながら、上述したサーディップ型のパッケージ１４１には以下に示す問題があった。即ち、図６に示すように、従来のパッケージ１４１は、ベース１４３とウインドフレーム１４４との間が接着剤１６１で封止されているが、接着剤１６１の量が多すぎると、ベース１４３とウインドフレーム１４４の間からはみ出してしまうので、このはみ出した突起部分１６１ａが、パッケージ１４１と中間保持部材１３３との接着の精度を悪くすることがあるという問題があった。
【０００８】
具体的には、図６に示すように、中間保持部材１３３の固定面とパッケージ１４１の取付面との間に接着剤１６１のはみ出した突起部分１６１ａが入ると、接着される部材同士の位置が不安定になり、そして、図７中の点線に示すように、接着剤１６２の硬化収縮により両者の位置がずれてしまう。画像読み取りユニットとして必要な画質を得るためにレンズとパッケージは高精度に位置決めされる必要があるが、このような位置ずれは、画像読み取りユニットにとって致命的な問題となっていた。
【０００９】
そこで、本発明では、上記の課題を解決するために、パッケージと中間保持部材との位置決め精度を向上させる固定構造、及びそれを有するレンズブロック、並びに該レンズブロックを有する画像読み取りユニット、該画像読み取りユニットを有する画像形成装置、及び該固定構造に最適な中間保持部材を提供することを目的とする。
【課題を解決するための手段】
【００１０】
上記目的を達成するため、請求項１に記載の固定構造は、光電変換素子を収容するパッケージと、前記パッケージとベース部材との双方に第１の接着剤で固定された中間保持部材と、を備えた固定構造であって、前記パッケージが、互いに第２の接着剤で接着固定された第１の部材と第２の部材とを備えた固定構造において、前記第２の接着剤と前記中間保持部材とが接触することを規制するように、前記パッケージと前記中間保持部材とが、前記第１の接着剤で互いに接着固定されていることを特徴としている。
【００１１】
請求項２に記載の固定構造は、請求項１に記載の固定構造において、前記中間保持部材の前記パッケージと相対する対向面に、前記第２の接着剤と相対する凹部が、設けられているとともに、前記第１の接着剤が、前記凹部内に隙間が生じるように、前記中間保持部材と前記パッケージとを接着していることを特徴としている。
【００１２】
請求項３に記載の固定構造は、請求項１に記載の固定構造において、前記第２の接着剤の前記パッケージと相対する位置に、前記パッケージの前記中間保持部材と相対する外表面より凹の第２の凹部が、設けられているとともに、前記第１の接着剤が、前記第２の凹部内に隙間が生じるように、前記中間保持部材と前記パッケージとを接着していることを特徴としている。
【００１３】
請求項４に記載の固定構造は、請求項１ないし請求項３のうちいずれか一項に記載の固定構造において、前記第1の部材が、光電変換素子を取り付けたベースであり、そして、前記第２の部材が、原稿からの反射像を透過することを許容しかつ外気が透過することを規制するウインド部材であることを特徴としている。
【００１４】
請求項５に記載の固定構造は、請求項１ないし請求項４のうちいずれか一項に記載の固定構造において、前記第１の接着剤が、紫外線を照射されると硬化する光硬化型の接着剤で固定され、そして、前記中間保持部材が、紫外線を透過する材料で構成されていることを特徴としている。
【００１５】
請求項６に記載のレンズブロックは、原稿からの反射像を光電変換素子によって読み取るレンズブロックにおいて、請求項１ないし請求項５のうちいずれか一項に記載の固定構造が備えられていることを特徴としている。
【００１６】
請求項７に記載の画像読み取りユニットは、原稿に光を照射して、該原稿からの反射像を光電変換素子で光電変換する画像読み取りユニットにおいて、請求項６に記載のレンズブロックが備えられていることことを特徴としている。
【００１７】
請求項８に記載の画像形成装置は、請求項７に記載の画像読み取りユニットが備えられていることを特徴としている。
【００１８】
請求項９に記載の中間保持部材は、レンズを保持するベース部材と光電変換素子を収容するパッケージとの双方に接着固定される中間保持部材において、前記パッケージを構成するベースとウインド部材とを互いに接着する第２の接着剤と接触しないように、前記第２の接着剤との対向面に、凹部が設けられていることを特徴としている。
【００１９】
請求項１０に記載の中間保持部材は、請求項９に記載の中間保持部材において、紫外線を透過させる材料で構成されているとともに、前記ベース部材及び前記パッケージに、紫外線を照射すると硬化する光硬化型の接着剤で接着固定されることを特徴としている。
【発明の効果】
【００２０】
請求項１に記載の固定構造は、第２の接着剤と中間保持部材とが接触することを規制するように、パッケージと中間保持部材とが、第１の接着剤で互いに接着固定されているので、第２の接着剤が中間保持部材に干渉する虞がない。したがって、第２の接着剤が中間保持部材に干渉することに起因して、パッケージに対する中間保持部材の位置がずれる虞が少ない。これにより、結像レンズ系に対する光電変換素子の位置決め精度が確保できて、精度の良い撮像ができる固定構造が得られる。
【００２１】
請求項２に記載の固定構造は、中間保持部材のパッケージと相対する対向面に、第２の接着剤と相対する凹部が設けられているとともに、第１の接着剤が、凹部内に隙間が生じるように、中間保持部材とパッケージとを接着しているので、第２の接着剤が中間保持部材に干渉する虞がない。したがって、第２の接着剤が中間保持部材に干渉することに起因して、パッケージに対する中間保持部材の位置がずれる虞が少ない。これにより、結像レンズ系に対する光電変換素子の位置決め精度が確保できて、精度の良い撮像ができる固定構造が得られる。
【００２２】
請求項３に記載の固定構造は、第２の接着剤のパッケージと相対する位置に、パッケージの中間保持部材と相対する外表面より凹の第２の凹部が設けられているとともに、第１の接着剤が、第２の凹部内に隙間が生じるように、中間保持部材と前記パッケージとを接着しているので、第２の接着剤が中間保持部材に干渉する虞がない。したがって、第２の接着剤が中間保持部材に干渉することに起因して、パッケージに対する中間保持部材の位置がずれる虞が少ない。これにより、結像レンズ系に対する光電変換素子の位置決め精度が確保できて、精度の良い撮像ができる固定構造が得られる。
【００２３】
請求項４に記載の固定構造は、第1の部材が、光電変換素子を取り付けたベースであり、そして、第２の部材が、原稿からの反射像を透過することを許容しかつ外気が透過することを規制するウインド部材である。このように、第１の部材と第２の部材とを別に作ることにより、パッケージは安価に製造することができる。さらに、このパッケージを本発明に用いることにより、第２の接着剤と中間保持部材とが干渉することなく、安価で、より高精度なレンズブロックが得られる。
【００２４】
請求項５に記載の固定構造は、第１の接着剤が、紫外線を照射されると硬化する光硬化型の接着剤で固定され、そして、中間保持部材が、紫外線を透過する材料で構成されているので、中間保持部材を通して光硬化型接着剤に紫外線を照射することができ、接着箇所全域で同時に紫外線を照射することができ、接着剤が硬化するまでの時間を短縮して、生産性を向上させることができる。
【００２５】
請求項６に記載のレンズブロックは、請求項１ないし請求項５のうちいずれか一項に記載の固定構造を備えているので、精度の良い撮像ができるレンズブロックが得られる。
【００２６】
請求項７に記載の画像読み取りユニットは、請求項６に記載のレンズブロックを備えているので、高画質な読み取り画像を形成できる画像読み取りユニットが得られる。
【００２７】
請求項８に記載の画像形成装置は、請求項７に記載の画像読み取りユニットを備えているので、高画質な画像を形成できる画像形成装置が得られる。
【００２８】
請求項９に記載の中間保持部材は、パッケージを構成するベースとウインド部材とを互いに接着する第２の接着剤と接触しないように、第２の接着剤との対向面に、凹部を設けているので、第２の接着剤が中間保持部材に干渉する虞がない。したがって、第２の接着剤が中間保持部材に干渉することに起因して、パッケージに対する中間保持部材の位置がずれる虞が少ない。これにより、結像レンズ系に対する光電変換素子の位置決め精度が確保できて、精度の良い撮像ができる固定構造を構成する中間保持部材が得られる。
【００２９】
請求項１０に記載の中間保持部材は、紫外線を透過させる材料で構成されているとともに、ベース部材及びパッケージに、紫外線を照射すると硬化する光硬化型の接着剤で接着固定されるので、中間保持部材を通して光硬化型接着剤に紫外線を照射することができ、接着箇所全域で同時に紫外線を照射することができ、接着剤が硬化するまでの時間を短縮して、生産性を向上させることができる。
【発明を実施するための最良の形態】
【００３０】
（第１の実施形態）
以下、本発明の第１の実施形態にかかるレンズブロック、画像読み取りユニット、画像形成装置、中間保持部材を、図１ないし図４に基づいて説明する。
【００３１】
画像形成装置１は、図１に示すように、装置本体２と、自動原稿送り装置３と、画像読み取りユニット４と、給紙ユニット５と、書込ユニット６とを備えている。
【００３２】
装置本体２は、例えば、箱状に形成され、フロア上などに設置される。装置本体２は、画像読み取りユニット４と、給紙ユニット５と、書込ユニット６と、を収容している。
【００３３】
自動原稿送り装置３は、装置本体２の上部に取り付けられている。自動原稿送り装置３は、原稿載置板７と、ベルト送り装置８とを備えている。原稿載置板７は、平板状に形成され、装置本体２の上部に取り付けられているとともに、表面上に複数枚の原稿９が載置される。ベルト送り装置８は、原稿載置板７上の原稿９を一枚ずつ後述するコンタクトガラス１０上に送り出すとともに、後述のレンズブロック１６により反射像が読み取られた原稿９をコンタクトガラス１０上から装置本体２外に排出する。
【００３４】
画像読み取りユニット４は、装置本体２の上部でかつ前述した自動原稿送り装置３の下方に設けられ、原稿９を載置するコンタクトガラス１０と光学走査系１１とを備えている。コンタクトガラス１０は、両表面が水平方向と平行な状態で、装置本体２の上面に取り付けられている。光学走査系１１は、露光ランプ１２、第１ミラー１３、第２ミラー１４、第３ミラー１５及びレンズブロック１６などを備え、原稿９に光を照射して、該原稿９からの反射像を後述のライン型光電変換素子４２で光電変換する。
【００３５】
露光ランプ１２は、コンタクトガラス１０上の原稿９に光を照射する。第１ミラー１３、第２ミラー１４及び第３ミラー１５は、原稿９からの反射像をレンズブロック１６に導く。露光ランプ１２および第１ミラー１３は、図示しない第１キャリッジ上に固定され、第２ミラー１４および第３ミラー１５は、図示しない第２キャリッジ上に固定されている。原稿９を読み取る際には、光路長が変化しないように第１キャリッジと第２キャリッジとは２対１の相対速度で機械的に移動される。この光学走査系１１の前述した第１キャリッジと第２キャリッジとは、図示しないスキャナ駆動モータによって移動される。
【００３６】
レンズブロック１６は、結像レンズ系３１と、イメージセンサ３２などを備えている。なお、このレンズブロック１６の詳細な構成は、後ほど説明する。レンズブロック１６は、前述した原稿９の反射像をイメージセンサ３２によって読み取り（光電変換させ）、光信号から電気信号に変換して処理する。変換された電気信号は、図示しない画像処理部に向かって出力する。結像レンズ系３１およびイメージセンサ３２を図１において左右方向（水平方向）に移動させると画像倍率を変化させることができる。すなわち、指定された倍率に対応して結像レンズ系３１およびイメージセンサ３２の図１における左右方向の位置が設定される。
【００３７】
給紙ユニット５は、装置本体２の下部に設けられた複数の転写紙収容部１９と、転写紙送り出しユニット２０と、を備えている。転写紙収容部１９は、複数の転写紙２１を収容する。転写紙送り出しユニット２０は、転写紙収容部１９内の転写紙２１を、後述するレジストローラ２５間に送り出す。給紙ユニット５は、転写紙収容部１９内の転写紙２１を一枚ずつレジストローラ２５間即ち書込ユニット６に向けて送り出す。
【００３８】
書込ユニット６は、レーザ出力ユニット２２と、結像レンズ２３と、ミラー２４と、レジストローラ２５と、感光体ドラム２６と、現像装置２７と、転写部材２８と、定着装置２９とを備えている。
【００３９】
レーザ出力ユニット２２の内部には、レーザ光源であるレーザダイオードおよびモータによって高速で定速回転するポリゴンミラーが設けられている。レーザ出力ユニット２２から照射されるレーザ光は、前記定速回転するポリゴンミラーによって偏向され、結像レンズ２３を通ってミラー２４で折り返され、感光体ドラム２６の外周面上に集光されて結像する。偏向されたレーザ光は、感光体ドラム２６が回転する方向と直交する所謂主走査方向に露光走査され、図示しない画像処理部から出力された画像信号のライン単位の記録を行う。そして、書込ユニット６は、感光体ドラム２６の回転速度と記録密度に対応した所定の周期で主走査を繰り返すことによって感光体ドラム２６の外周面上に画像、すなわち静電潜像を形成する。
【００４０】
このように書込ユニット６から出力されるレーザ光が、画像作像系の感光体ドラム２６に照射されるが、感光体ドラム２６の一端近傍のレーザ光の照射位置に主走査同期信号を発生する図示しないビームセンサが配されている。このビームセンサから出力される主走査同期信号に基づいて主走査方向の画像記録タイミングの制御、および後述する画像信号の入出力用の制御信号の生成が行われる。
【００４１】
レジストローラ２５は、転写紙送り出しユニット２０により転写紙収容部１９から送り出されてきた転写紙２１を転写部材２８と感光体ドラム２６との間に送り出す。感光体ドラム２６は、軸芯を中心として回転自在な円柱状又は円筒状に形成されている。感光体ドラム２６は、レーザ出力ユニット２２により形成され且つ担持する静電潜像にトナーが付着して現像し、こうして得られたトナー像を転写部材２８との間に位置付けられた転写紙２１に転写する。
【００４２】
現像装置２７は、トナーを感光体ドラム２６の外周面に付着させて、該感光体ドラム２６の外周面上の静電潜像を現像する。転写部材２８は、転写紙２１を感光体ドラム２６の外周面に押し付けて、感光体ドラム２６の外周面上のトナーを転写紙２１に転写するとともに、該転写紙２１を定着装置２９に向けて送り出す。定着装置２９は、感光体ドラム２６などに形成されたトナー像を転写紙２１に定着させ、転写紙２１を装置本体２外に排出する。
【００４３】
前述した画像形成装置１は、自動原稿送り装置３が、原稿９を画像読み取りユニット４のコンタクトガラス１０上に自動的に給送し、読み取りが終了した原稿９を自動的に排出する。画像形成装置１は、画像読み取りユニット４が、コンタクトガラス１０上にセットされた原稿９に光を照射し、この原稿９からの反射像を後述する光電変換素子としてのライン型光電変換素子４２によって読み取る。
【００４４】
画像形成装置１は、書込ユニット６が、画像読み取りユニット４が光電変換した原稿９からの搬送層の画像信号に基づいて、感光体ドラム２６上に画像を形成し、給紙ユニット５から給紙された転写紙２１上に画像を転写して定着する。画像形成装置１は、定着が完了した転写紙２１を装置本体２外に排出する。
【００４５】
レンズブロック１６は、図２に示すように、ベース部材３０と、結像レンズ系３１と、イメージセンサ３２と、複数の中間保持部材３３とを備えている。
【００４６】
ベース部材３０は、平面形状が矩形状でかつ両表面が水平方向と平行な状態で配される平板部３４と、この平板部３４から立設した立設部３５と、を備えている。平板部３４即ちベース部材３０は、図１中の左右方向に沿って、移動自在に設けられる。なお、平板部３４の長手方向は、前述した図１中の左右方向と平行となる。
【００４７】
立設部３５は、平板部３４の図１中の左右方向の一方の端即ち長手方向の一方の端から立設している。立設部３５は、平板部３４の幅方向の両端から立設した一対の立設柱３６と、これらの立設柱３６の平板部３４から離れた側の端部同士を連結した連結柱３７と、を備えて、枠状に形成されている。
【００４８】
結像レンズ系３１は、二つの光学ユニット３８を備えている。光学ユニット３８は、レンズ鏡筒３９と、このレンズ鏡筒３９内に収容されるレンズ群４０とを備えている。レンズ鏡筒３９は、円筒状に形成されている。レンズ群４０は、少なくとも一つが、レンズ鏡筒３９内に圧入されている。レンズ４０、レンズ鏡筒３９即ち光学ユニット３８は、ベース部材３０の平板部３４に中間保持部材３３を介して取り付けられて、ベース部材３０に保持されている。
【００４９】
また、二つの光学ユニット３８は、互いに光軸が同一直線上に位置するように配されている。前述した構成の結像レンズ系３１は、原稿９からの反射像をイメージセンサ３２のライン型光電変換素子４２に結像させる。
【００５０】
イメージセンサ３２は、パッケージ４１と、光電変換素子としてのライン型光電変換素子４２とを備えている。パッケージ４１は、例えば、セラミックスからなる第１の部材としてのベース４３と、例えば、例えば第２の部材としてのウインド部材５０とを備えている。
【００５１】
ベース４３は、平板状に形成されており、表面上にライン型光電変換素子４２が取り付けられる。ウインド部材５０は、セラミックスからなるウインドフレーム４４と、封止ガラス４５とを備えている。ウインドフレーム４４は、枠状に形成されており、ベース４３の外縁部に重ねられた格好で該ベース４３に第２の接着剤６１で接着固定される。封止ガラス４５は、平板状に形成され、かつ外縁部がウインドフレーム４４に重ねられた格好で、該ウインドフレーム４４に接着剤で固定される。前述した構成のウインド部材５０は、原稿９からの反射像を透過することを許容し、外気が透過することを規制する。
【００５２】
前述したパッケージ４１は、ベース４３とウインドフレーム４４と封止ガラス４５とで、ライン型光電変換素子４２を覆う。また、パッケージ４１は、印刷配線板４６などに取り付けられる。
【００５３】
ライン型光電変換素子４２は、光電変換素子であるＰＤ（Ｐｈｏｔｏ  Ｄｉｏｄｅ）と電荷搬送素子であるＣＣＤ（Ｃｈａｒｇｅ  Ｃｏｕｐｌｅｄ  Ｄｅｖｉｃｅ）が直線上に並べられて構成されている。ライン型光電変換素子４２の長手方向は、主走査方向と平行になる。
【００５４】
また、前述したイメージセンサ３２は、印刷配線板４６の導体パターンと、前述したライン型光電変換素子４２の電極などとを互いに電気的に接続するためのパッケージ４１に設けられた電極やリード線などを備えている。さらに、前述したイメージセンサ３２は、封止ガラス４５が立設部３５の内側を通して、結像レンズ系３１と相対する状態で、中間保持部材３３を介して、ベース部材３０の立設部３５に取り付けられている。
【００５５】
中間保持部材３３は、例えば、透明の紫外線などの光を透過させる材料としての合成樹脂で構成され、図３に示すように、第１の固定部３３１と、第２の固定部３３２とを一体に備えている。第１の固定部３３１と第２の固定部３３２は、それぞれ、平板状に形成されている。第１の固定部３３１の縁から第２の固定部３３２が立設している。第１の固定部３３１と第２の固定部３３２とのなす角度は、図示例では、９０度となっている。
【００５６】
中間保持部材３３は、第１の固定部３３１がベース部材３０に重ねられ、第２の固定部３３２がレンズ鏡筒３９及びイメージセンサ３２のパッケージ４１に重ねられ、固定部３３１，３３２とベース部材３０、レンズ鏡筒３９及びイメージセンサ３２のパッケージ４１との間に例えば紫外線などの光が照射されると硬化する光硬化型の第１の接着剤６２などが充填されて、ベース部材３０にレンズ鏡筒３９即ち結像レンズ系３１及びパッケージ４１即ちイメージセンサ３２を取り付ける。ベース部材３０に取り付けられると、結像レンズ系３１とイメージセンサ３２の光軸Ｏ（図２中に一点鎖線で示す）は、同一線上に位置する。
【００５７】
前述したベース部材３０と、パッケージ４１と、中間保持部材３３とで本発明のパッケージ４１と中間保持部材３３との固定構造１００をなしている。すなわち、画像形成装置１、画像読み取りユニット４及びレンズブロック１６は、固定構造１００を備えている。また、以下、ベース部材３０の中間保持部材３３の第１の固定部３３１が取付けられる箇所を取付部と呼び、符合４７（図２に示す）で示す。パッケージ４１の中間保持部材３３の第２の固定部３３２が取付けられる箇所を取付部と呼び、符合４８で示す（図２及び図３に示す）。
【００５８】
次に、本発明の固定構造１００についてさらに詳しく説明する。図３は、固定構造１００を示す分解斜視図である。図４は固定構造１００の側面図である。
【００５９】
なお、本第１の実施形態で用いるパッケージ４１は、ベース４３とウインドフレーム４４とが第２の接着剤６１で接着されている。そして、パッケージ４１には、第２の接着剤６１の充填の際に、ベース４３とウインドフレーム４４との間から該第２の接着剤６１がはみ出すことで形成された突起部分６１ａが形成されている。
【００６０】
固定構造１００では、図４に示すように、立設部３５の取付部４７と中間保持部材３３の第１の固定部３３１とが前述した光硬化型の第１の接着剤６２で固定されている。また、パッケージ４１の取付部４８と中間保持部材３３の第２の固定部３３２とが前述した光硬化型の第１の接着剤６２で固定されている。
【００６１】
第２の固定部３３２のパッケージ４１と相対する対向面３３２ａには、凹部３３ａが設けられている。この凹部３３ａは、第２の固定部３３２の、取付部４８との対向面３３２ａから凹に形成されている。凹部３３ａは、断面円弧状の溝に形成されている。凹部３３ａは、第２の固定部３３２とパッケージ４１とが第１の接着剤６２で接着固定される際に、第１の接着剤６２が充填されずに、該第１の接着剤６２でふさがれていないとともに、前述した突起部分６１ａと間隔をあけて相対する。
【００６２】
このため、第２の接着剤６１の突起部分６１ａと、中間保持部材３３の第２の固定部３３２と、第１の接着剤６２との３点が接触しないように、中間保持部材３３の第２の固定部３３２とパッケージ４１の取付部４８と第１の接着剤６２との間即ち凹部３３ａ内などに隙間Ｓが形成されている。このように、第１の接着剤６２は、凹部３３ａ内に隙間Ｓが生じるように、中間保持部材３３とパッケージ４１とを接着している。
【００６３】
なお、図示例では、凹部３３ａは、断面円弧状の溝に形成されているが、本発明では凹部３３ａの形状は断面円弧状に限定されず、中間保持部材３３の第２の固定部３３２と突起部分６１ａとが接触しないように形成された凹みであれば、いかなる形状であっても良い。
【００６４】
本第１の実施形態にかかるレンズブロック１６の組み立て方法を以下説明する。まず、光源から照射された光を、ライン型光電変換素子４２に受光させ、ライン型光電変換素子４２から所望の信号が得られるように、印刷配線板４６が取り付けられたイメージセンサ３２及び結像レンズ系３１を位置決めする。
【００６５】
そして、所定位置に中間保持部材３３を位置付けて、中間保持部材３３とベース部材３０との間と、中間保持部材３３と光学ユニット３８との間に光硬化型の第１の接着剤６２を充填する。また、中間保持部材３３とイメージセンサ３２との間に光硬化型の第１の接着剤６２を、中間保持部材３３の第２の固定部３３２に設けられた凹部３３ａを埋めないようにして充填する。その後、該第１の接着剤６２を硬化させて、ベース部材３０に光学ユニット３８及びイメージセンサ３２を固定する。そして、前述したレンズブロック１６が得られる。このように、固定構造１００即ちレンズブロック１６は、第２の接着剤６１と中間保持部材３３とが接触することを規制するように、パッケージ４１と中間保持部材３３とが第１の接着剤６２で互いに接着固定されている。
【００６６】
このように第１の実施形態では、中間保持部材３３の第２の固定部３３２に、凹部３３ａを設けている。そして、この凹部３３ａを埋めないように、中間保持部材３３の第２の固定部３３２とパッケージ４１の取付部４８とが第１の接着剤６２によって接着固定されている。このため、第２の接着剤６１が中間保持部材３３の第２の固定部３３２に干渉する虞がない。したがって、第２の接着剤６１の突起部分６１ａが中間保持部材３３の第２の固定部３３２に干渉することに起因して、パッケージ４１に対する中間保持部材３３の位置がずれる虞が少ない。これにより、結像レンズ系３１に対する光電変換素子４２の位置決め精度が確保できて、精度の良い撮像ができる固定構造１００、レンズブロック１６、画像読み取りユニット４及び画像形成装置１が得られる。
【００６７】
（第２の実施形態）
次に、本発明の第２の実施形態にかかる固定構造、レンズブロック、画像読み取りユニット、画像形成装置、中間保持部材を図５に基づいて説明する。なお、前述した第１の実施形態と同一構成部分には、同一符号を付して説明を省略する。図５は、第２の実施形態における固定構造１００' の側面図である。
【００６８】
前述した第１の実施形態では、中間保持部材３３に該中間保持部材３３の第２の固定部３３２と第２の接着剤６１とが接触しないように凹部３３ａを設けていたが、第２の実施形態では、図５に示すように、第２の接着剤６１に第２の凹部６１ｂを設けている。この場合も、第２の凹部６１ｂは、中間保持部材３３の第２の固定部３３２と、第２の接着剤６１とが接触しないような凹みであれば良い。
【００６９】
第２の凹部６１ｂは、第２の接着剤６１の、中間保持部材３３と相対する位置に設けられ、パッケージ４１の中間保持部材３３と相対する外表面４１ａから凹に形成されている。第２の凹部６１ｂは、前述した第１の接着剤６２が充填されてなく、該第１の接着剤６２でふさがれていない。第２の凹部６１ｂにより、パッケージ４１の取付部４８と、第１の接着剤６２との間に隙間Ｓ'が形成されている。このように、本実施形態では、第１の接着剤６２が、第２の凹部６１ｂ内に隙間Ｓ'が生じるように中間保持部材３３とパッケージ４１とを接着している。
【００７０】
本第２の実施形態にかかるレンズブロック１６の組み立て方法を以下説明する。まず、光源から照射された光を、ライン型光電変換素子４２に受光させ、ライン型光電変換素子４２から所望の信号が得られるように、印刷配線板４６が取り付けられたイメージセンサ３２及び結像レンズ系３１を位置決めする。
【００７１】
そして、所定位置に中間保持部材３３を位置付けて、中間保持部材３３とベース部材３０との間と、中間保持部材３３と光学ユニット３８との間に光硬化型の第１の接着剤６２を充填する。また、中間保持部材３３とイメージセンサ３２との間に光硬化型の第１の接着剤６２を、第２の接着剤６１に設けられた第２の凹部６１ｂを埋めないようにして充填する。その後、該第１の接着剤６２を硬化させて、ベース部材３０に光学ユニット３８及びイメージセンサ３２を固定する。そして、前述したレンズブロック１６が得られる。このように、固定構造１００’即ちレンズブロック１６は、第２の接着剤６１と中間保持部材３３とが接触することを規制するように、パッケージ４１と中間保持部材３３とが第１の接着剤６２で互いに接着固定されている。
【００７２】
このように第２の実施形態では、第２の接着剤６１に、第２の凹部６１ｂを設けている。そして、この第２の凹部６１ｂを埋めないように、中間保持部材３３の第２の固定部３３２とパッケージ４１の取付部４８とが第１の接着剤６２によって接着固定されている。このため、第２の接着剤６１が中間保持部材３３の第２の固定部３３２に干渉する虞がない。したがって、第２の接着剤６１が中間保持部材３３の第２の固定部３３２に干渉することに起因して、パッケージ４１に対する中間保持部材３３の位置がずれる虞が少ない。これにより、結像レンズ系３１に対する光電変換素子４２の位置決め精度が確保できて、精度の良い撮像ができる固定構造１００’、レンズブロック１６、画像読み取りユニット４及び画像形成装置１が得られる。
【００７３】
また、前述した第１及び第２の実施形態では、中間保持部材３３の第２の固定部３３２と第２の接着剤６１の対向面のどちらか一方に凹部３３ａ，６１ｂを設けていたが、本発明では、中間保持部材３３の第２の固定部３３２と第２の接着剤６１の対向面の両方に凹部３３ａ，６１ｂを設けても良い。
【００７４】
なお、本発明は上記実施例に限定されるものではない。即ち、本発明の骨子を逸脱しない範囲で種々変形して実施することができる。
【図面の簡単な説明】
【００７５】
【図１】本発明の第１の実施形態にかかる画像形成装置を示す説明図である。
【図２】図１に示す画像形成装置のレンズブロックを示す斜視図である。
【図３】図１に示された画像形成装置の固定構造を示す分解斜視図である。
【図４】図１に示された画像形成装置の固定構造を示す側面図である。
【図５】本発明の第２の実施形態にかかる固定構造を示す側面図である。
【図６】従来のパッケージの問題点を説明する説明図である。
【図７】従来のパッケージの問題点を説明する説明図である。
【符号の説明】
【００７６】
１  画像形成装置
４  画像読み取りユニット
１６  レンズブロック
３０  ベース部材
３３  中間保持部材
３３ａ  凹部
３３１  第１の固定部
３３２  第２の固定部
３３２ａ  対向面
４１  パッケージ
４１ａ  外表面
４２  ライン型光電変換素子（光電変換素子）
４３  ベース（第１の部材）
５０  ウインド部材（第２の部材）
６１  第２の接着剤
６１ｂ  第２の凹部
６２  第１の接着剤
１００，１００'   固定構造
【図１】
2006135598.tif 000003
【図２】
2006135598.tif 000004
【図３】
2006135598.tif 000005
【図４】
2006135598.tif 000006
【図５】
2006135598.tif 000007
【図６】
2006135598.tif 000008
【図７】
2006135598.tif 000009